(57)【要約】【課題】アクセスポイント装置が指向性のあるアンテナを有する場合に、複数のクライアント端末全体として安定した無線通信を行わせて、安定した無線環境を構築する。【解決手段】ｍ台のアクセスポイント装置２の各々は、アンテナ方向を変更することで指向性が変化する。接続制御サーバ４は、ｍ台のアクセスポイント装置２の各々のアンテナ方向の組み合せパターンごとに、ｎ台のＰＯＳ装置１の各々の位置における電波強度を算出して点数換算して合計点数が最も高い組み合せパターンを選択し、選択した組み合わせパターンに応じたｍ台のアクセスポイント装置２の各々のアンテナ方向およびｎ台のＰＯＳ装置１の各々の接続先のアクセスポイント装置２を設定する。【選択図】図１
2008193569.tif 000002
【特許請求の範囲】
【請求項１】
複数のクライアント端末と、前記クライアント端末と無線通信を行う複数のアクセスポイント装置と、前記アクセスポイント装置と前記クライアント端末との接続制御を行う接続制御サーバと、を有してなる無線ＬＡＮシステムにおいて、
前記クライアント端末は、
端末アンテナと、
自端末の位置を計測する端末位置計測手段と、
前記接続制御サーバにより設定された接続先のアクセスポイント装置に前記端末アンテナを介してアクセスして無線通信を行う端末無線手段と、を有し、
前記アクセスポイント装置は、
アンテナ方向が可変の装置アンテナと、
前記接続制御サーバにより設定されたアンテナ方向に前記装置アンテナを駆動させるアンテナ駆動手段と、
自装置の位置を計測する装置位置計測手段と、
自装置に前記装置アンテナを介してアクセスしてきたクライアント端末と無線通信を行う装置無線手段と、を有し、
前記接続制御サーバは、
前記複数のアクセスポイント装置の各々にて計測された当該アクセスポイント装置の位置と、前記複数のクライアント端末の各々にて計測された当該クライアント端末の位置とを記憶する位置記憶手段と、
前記複数のアクセスポイント装置ごとに、当該アクセスポイント装置のアンテナ方向が所定の方向にある場合の当該アクセスポイント装置からの各相対位置における電波強度を表す指向性パターンを記憶する指向性パターン記憶手段と、
前記位置記憶手段に記憶された前記複数のアクセスポイント装置および前記複数のクライアント端末の各々の位置と、前記指向性パターン記憶手段に記憶された前記指向性パターンと、に基づいて、前記複数のアクセスポイント装置の各々のアンテナ方向の組み合わせパターンごとに、前記複数のクライアント端末の各々の位置における電波強度を算出する電波強度算出手段と、
前記複数のクライアント端末の各々の位置における電波強度に応じた点数を表すテーブルと、
前記組み合せパターンごとに、前記電波強度算出手段にて算出された前記複数のクライアント端末の各々の位置における電波強度を、前記テーブルを参照して点数に換算し、換算した点数に基づいて前記組み合わせパターンのいずれかを選択し、選択した組み合わせパターンに応じた前記複数のアクセスポイント装置の各々のアンテナ方向および前記複数のクライアント端末の各々の接続先のアクセスポイント装置を設定する設定手段と、を有する、無線ＬＡＮシステム。
【請求項２】
前記設定手段は、前記組み合せパターンごとに、前記複数のクライアント端末の各々の位置における点数を合計し、合計点数が最も高い組み合せパターンを選択する、請求項１に記載の無線ＬＡＮシステム。
【請求項３】
前記設定手段は、前記複数のクライアント端末の各々の位置における点数が所定値以上になる組み合せパターンを選択する、請求項１に記載の無線ＬＡＮシステム。
【請求項４】
前記クライアント端末はＰＯＳ装置に内蔵されている、請求項１から３のいずれか１項に記載の無線ＬＡＮシステム。
【請求項５】
複数のクライアント端末と、アンテナ方向が可変の複数のアクセスポイント装置との接続制御を行う接続制御サーバであって、
前記複数のアクセスポイント装置の各々にて計測された当該アクセスポイント装置の位置と、前記複数のクライアント端末の各々にて計測された当該クライアント端末の位置とを取得する手段と、
前記複数のアクセスポイント装置の各々の位置と、前記複数のクライアント端末の各々の位置とを記憶する位置記憶手段と、
前記複数のアクセスポイント装置ごとに、当該アクセスポイント装置のアンテナ方向が所定の方向にある場合の当該アクセスポイント装置からの各相対位置における電波強度を表す指向性パターンを記憶する指向性パターン記憶手段と、
前記位置記憶手段に記憶された前記複数のアクセスポイント装置および前記複数のクライアント端末の各々の位置と、前記指向性パターン記憶手段に記憶された前記指向性パターンと、に基づいて、前記複数のアクセスポイント装置の各々のアンテナ方向の組み合わせパターンごとに、前記複数のクライアント端末の各々の位置における電波強度を算出する電波強度算出手段と、
前記複数のクライアント端末の各々の位置における電波強度に応じた点数を表すテーブルと、
前記組み合せパターンごとに、前記電波強度算出手段にて算出された前記複数のクライアント端末の各々の位置における電波強度を、前記テーブルを参照して点数に換算し、換算した点数に基づいて前記組み合わせパターンのいずれかを選択し、選択した組み合わせパターンに応じた前記複数のアクセスポイント装置の各々のアンテナ方向および前記複数のクライアント端末の各々の接続先のアクセスポイント装置を設定する設定手段と、を有する、接続制御サーバ。
【請求項６】
前記設定手段は、前記組み合せパターンごとに、前記複数のクライアント端末の各々の位置における点数を合計し、合計点数が最も高い組み合せパターンを選択する、請求項５に記載の接続制御サーバ。
【請求項７】
前記設定手段は、前記複数のクライアント端末の各々の位置における点数が所定値以上になる組み合せパターンを選択する、請求項５に記載の接続制御サーバ。
【発明の詳細な説明】
【技術分野】
【０００１】
本発明は、無線ＬＡＮシステム、接続制御サーバに関する。
【背景技術】
【０００２】
図１４は、一般的な無線ＬＡＮシステムの構成の一例を示す図である。
【０００３】
図１４に示すように、一般的な無線ＬＡＮシステムは、ｎ（ｎは自然数）台のクライアント端末１０と、自装置と無線通信を行うクライアント端末１０をネットワーク３０に接続するｍ（ｍは自然数）台のアクセスポイント装置（ＡＰ）２０と、を有している。
【０００４】
クライアント端末１０は、ネットワーク３０と接続する際には、ｍ台のアクセスポイント装置２０の中から、受信した電波強度が最も高いアクセスポイント装置２０を接続先のアクセスポイント装置２０に選択して無線通信を行うのが一般的である。
【０００５】
図１５は、２台のアクセスポイント装置２０（＃１，＃２）からクライアント端末１０（＃１）に受信された電波強度の時間変移の一例を示す図である。なお、図１５では、クライアント端末１０（＃１）の位置から最短距離にあるアクセスポイント装置２０が、アクセスポイント装置２０（＃１）であるものとする。
【０００６】
図１５に示すように、電波強度は、様々な要因（外来電波、人体などの遮断物、地磁気など）で変動するため、時間Ｔの期間で、一時的に、アクセスポイント装置２０（＃２）から受信した電波強度の方が高くなっている。しかし、電波強度は、距離の２乗に反比例して減衰することが知られており、全体的に見れば、最短距離にあるアクセスポイント装置２０（＃１）から受信した電波強度の方が安定して高くなっている。
【０００７】
したがって、クライアント端末１０は、自己の位置から最短距離にあるアクセスポイント装置２０を接続先とすれば、安定した通信を実現できる可能性が高いと考えられる。例えば、特許文献１には、無線ＬＡＮステーションが、ＧＰＳにより自己の位置を計測し、自己の位置から最短距離にあるアクセスポイント装置を選択することが開示されている。
【特許文献１】特開２００４−２４４７８１号公報
【発明の開示】
【発明が解決しようとする課題】
【０００８】
上述したように、従来、クライアント端末が安定した通信を行う方法として、自己の位置から最短距離にあるアクセスポイント装置を選択する方法があった。
【０００９】
しかし、アクセスポイント装置が指向性のあるアンテナを有する場合、アクセスポイント装置のアンテナ方向によっては、クライアント端末の位置から最短距離にあるアクセスポイント装置以外から受信された電波強度の方が高いこともあり得る。
【００１０】
したがって、アクセスポイント装置が指向性のあるアンテナを有する無線ＬＡＮシステムにおいては、より安定した無線環境を実現することができる技術が要求されている。
【００１１】
そこで、本発明の目的は、アクセスポイント装置が指向性のあるアンテナを有する場合に、複数のクライアント端末全体として安定した無線通信を行わせて、より安定した無線環境を構築することができる無線ＬＡＮシステム、接続制御サーバを提供することにある。
【課題を解決するための手段】
【００１２】
上記目的を達成するために本発明の無線ＬＡＮシステムは、
複数のクライアント端末と、前記クライアント端末と無線通信を行う複数のアクセスポイント装置と、前記アクセスポイント装置と前記クライアント端末との接続制御を行う接続制御サーバと、を有してなる無線ＬＡＮシステムにおいて、
前記クライアント端末は、
端末アンテナと、
自端末の位置を計測する端末位置計測手段と、
前記接続制御サーバにより設定された接続先のアクセスポイント装置に前記端末アンテナを介してアクセスして無線通信を行う端末無線手段と、を有し、
前記アクセスポイント装置は、
アンテナ方向が可変の装置アンテナと、
前記接続制御サーバにより設定されたアンテナ方向に前記装置アンテナを駆動させるアンテナ駆動手段と、
自装置の位置を計測する装置位置計測手段と、
自装置に前記装置アンテナを介してアクセスしてきたクライアント端末と無線通信を行う装置無線手段と、を有し、
前記接続制御サーバは、
前記複数のアクセスポイント装置の各々にて計測された当該アクセスポイント装置の位置と、前記複数のクライアント端末の各々にて計測された当該クライアント端末の位置とを記憶する位置記憶手段と、
前記複数のアクセスポイント装置ごとに、当該アクセスポイント装置のアンテナ方向が所定の方向にある場合の当該アクセスポイント装置からの各相対位置における電波強度を表す指向性パターンを記憶する指向性パターン記憶手段と、
前記位置記憶手段に記憶された前記複数のアクセスポイント装置および前記複数のクライアント端末の各々の位置と、前記指向性パターン記憶手段に記憶された前記指向性パターンと、に基づいて、前記複数のアクセスポイント装置の各々のアンテナ方向の組み合わせパターンごとに、前記複数のクライアント端末の各々の位置における電波強度を算出する電波強度算出手段と、
前記複数のクライアント端末の各々の位置における電波強度に応じた点数を表すテーブルと、
前記組み合せパターンごとに、前記電波強度算出手段にて算出された前記複数のクライアント端末の各々の位置における電波強度を、前記テーブルを参照して点数に換算し、換算した点数に基づいて前記組み合わせパターンのいずれかを選択し、選択した組み合わせパターンに応じた前記複数のアクセスポイント装置の各々のアンテナ方向および前記複数のクライアント端末の各々の接続先のアクセスポイント装置を設定する設定手段と、を有することを特徴とする。
【００１３】
上記目的を達成するために本発明の接続制御サーバは、
複数のクライアント端末と、アンテナ方向が可変の複数のアクセスポイント装置との接続制御を行う接続制御サーバであって、
前記複数のアクセスポイント装置の各々にて計測された当該アクセスポイント装置の位置と、前記複数のクライアント端末の各々にて計測された当該クライアント端末の位置とを取得する手段と、
前記複数のアクセスポイント装置の各々の位置と、前記複数のクライアント端末の各々の位置とを記憶する位置記憶手段と、
前記複数のアクセスポイント装置ごとに、当該アクセスポイント装置のアンテナ方向が所定の方向にある場合の当該アクセスポイント装置からの各相対位置における電波強度を表す指向性パターンを記憶する指向性パターン記憶手段と、
前記位置記憶手段に記憶された前記複数のアクセスポイント装置および前記複数のクライアント端末の各々の位置と、前記指向性パターン記憶手段に記憶された前記指向性パターンと、に基づいて、前記複数のアクセスポイント装置の各々のアンテナ方向の組み合わせパターンごとに、前記複数のクライアント端末の各々の位置における電波強度を算出する電波強度算出手段と、
前記複数のクライアント端末の各々の位置における電波強度に応じた点数を表すテーブルと、
前記組み合せパターンごとに、前記電波強度算出手段にて算出された前記複数のクライアント端末の各々の位置における電波強度を、前記テーブルを参照して点数に換算し、換算した点数に基づいて前記組み合わせパターンのいずれかを選択し、選択した組み合わせパターンに応じた前記複数のアクセスポイント装置の各々のアンテナ方向および前記複数のクライアント端末の各々の接続先のアクセスポイント装置を設定する設定手段と、を有することを特徴とする。
【発明の効果】
【００１４】
本発明によれば、接続制御サーバは、複数のアクセスポイント装置の各々のアンテナ方向の組み合せパターンごとに、複数のＰＯＳ装置の各々の位置における電波強度を算出して点数換算し、その点数に応じて組み合せパターンを選択し、選択した組み合わせパターンに応じた複数のアクセスポイント装置の各々のアンテナ方向および複数のＰＯＳ装置の各々の接続先のアクセスポイント装置を設定する。
【００１５】
したがって、複数のＰＯＳ装置全体として安定した無線通信を行わせて、安定した無線環境を構築することができるという効果を奏する。
【発明を実施するための最良の形態】
【００１６】
以下に、本発明を実施するための最良の形態について図面を参照して説明する。
【００１７】
図１は、本発明の一実施形態の無線ＬＡＮシステムの構成を示す図である。なお、図１に示す無線ＬＡＮシステムは、クライアント端末をＰＯＳ装置に内蔵し、そのＰＯＳ装置とアクセスポイント装置を店舗内に設けた例を示している。
【００１８】
図１に示すように、本実施形態の無線ＬＡＮシステムは、クライアント端末を内蔵するｎ（ｎは自然数）台のＰＯＳ装置１と、自装置と無線通信を行うＰＯＳ装置１を店舗内ＬＡＮであるネットワーク３に接続するｍ（ｍは自然数）台のアクセスポイント装置（ＡＰ）２と、ＰＯＳ装置１とアクセスポイント装置２間の接続状態を制御する接続制御サーバ４と、ＰＯＳ装置１を管理する店舗サーバ５と、店舗でのクレジットカードによる会計時に決済処理を行う決済処理サーバ７と、を有している。なお、店舗サーバ５と決済処理サーバ７とは、公衆回線６を介して接続されている。
【００１９】
図２は、ＰＯＳ装置１の内部構成の一例を示すブロック図であり、図３は、ＰＯＳ装置１の外観構成の一例を示す外観図である。
【００２０】
図２および図３に示すように、ＰＯＳ装置１は、アンテナ１１と、無線部１２と、位置計測手段であるＧＰＳ部１３と、電波強度測定部１４と、ＰＯＳ処理部１５と、制御部１６と、を有している。このうち、アンテナ１１、無線部１２、ＧＰＳ部１３、および電波強度測定部１４が、クライアント端末としての機能を実行する部分である。なお、図２は、本発明を実施するための本質的な部分のみを示し、その他の部分は省略している。
【００２１】
ＧＰＳ部１３は、不図示のＧＰＳ衛星からアンテナ１１に受信されたＧＰＳ信号に基づいて、自装置の位置を計測する。
【００２２】
電波強度測定部１４は、アクセスポイント装置２からアンテナ１１に受信された電波の電波強度を測定する。
【００２３】
無線部１２は、電源投入後は、ｍ台のアクセスポイント装置２のうち電波強度測定部１４で測定された電波強度が最も高いアクセスポイント装置２を接続先に設定し、その接続先のアクセスポイント装置２にアンテナ１１を介してアクセスして無線通信を行う。その後、接続制御サーバ４に接続先のアクセスポイント装置２が設定されると、その接続先のアクセスポイント装置２との無線通信に切り替える。この無線部１２によって、ＰＯＳ装置１は、無線通信を行えるので有線ＬＡＮの工事などを実施することなく、店舗レイアウトの変更などの場面で容易にＰＯＳ装置１の設置場所を変更することができる。
【００２４】
ＰＯＳ処理部１５は、店舗内での会計時に、一般的なＰＯＳ処理を行う。
【００２５】
制御部１６は、ＰＯＳ装置１内の構成要素の制御を行う。
【００２６】
図４は、アクセスポイント装置２の内部構成の一例を示すブロック図であり、図５は、アクセスポイント装置２の外部構成の一例を示す外観図である。
【００２７】
図４および図５に示すように、アクセスポイント装置２は、アンテナ２１と、無線部２２と、ネットワークインタフェース部２３と、位置計測手段であるＧＰＳ部２４と、アンテナ駆動部２５と、制御部２６と、を有している。なお、図４は、本発明を実施するための本質的な部分のみを示し、その他の部分は省略している。
【００２８】
ネットワークインタフェース部２３は、ネットワーク３とのインタフェース部分である。
【００２９】
ＧＰＳ部２４は、不図示のＧＰＳ衛星からアンテナ２１に受信されたＧＰＳ信号に基づいて、自装置の位置を計測する。
【００３０】
アンテナ２１は、図６に示すように、指向性を持っており、また、アンテナ方向が可変である。すなわち、アンテナ２１のアンテナ方向を変更することで、アンテナ２１の指向性を変化させることができる。
【００３１】
アンテナ駆動部２５は、接続制御サーバ４にアンテナ方向が設定されると、そのアンテナ方向にアンテナ２１を駆動して切り替える。
【００３２】
例えば、図６に示すように、アクセスポイント装置２（＃１）からＰＯＳ装置１（＃１）に受信された電波強度が−５［ｄＢ］であったとする。この状態で、アンテナ駆動部２５がアンテナ２１のアンテナ方向を変更して指向性を変化させることによって、ＰＯＳ装置１（＃１）における電波強度を−２［ｄＢ］とすることができる。
【００３３】
無線部２２は、自装置にアンテナ２１を介してアクセスしてきたＰＯＳ装置１と無線通信を行う。この無線部２２によって、アクセスポイント装置２は、複数台のＰＯＳ装置１と同時に無線通信を行うことができる。
【００３４】
制御部２６は、アクセスポイント装置２内の構成要素の制御を行う。
【００３５】
図７は、接続制御サーバ４の内部構成の一例を示すブロック図である。
【００３６】
図７に示すように、接続制御サーバ４は、ネットワークインタフェース部４１と、位置記憶部４２と、指向性パターン記憶部４３と、点数テーブル４４と、電波強度算出部４５と、設定部４６と、制御部４７と、を有している。
【００３７】
ネットワークインタフェース部４１は、ネットワーク３とのインタフェース部分である。
【００３８】
位置記憶部４２は、ｎ台のＰＯＳ装置１およびｍ台のアクセスポイント装置２の各々からＧＰＳにより計測された位置情報がネットワークインタフェース部４１に受信されると、それらの位置情報を記憶する。
【００３９】
指向性パターン記憶部４３は、ｍ台のアクセスポイント装置２ごとに、そのアクセスポイント装置２のアンテナ方向が所定の方向にある場合のそのアクセスポイント装置２からの各相対位置における電波強度を表す指向性パターンを記憶する。例えば、アクセスポイント装置２（＃１）の指向性パターンは、図８に示すようなパターンである。
【００４０】
点数テーブル４４は、ｎ台のＰＯＳ装置１の各々の位置における電波強度に応じた点数を表すテーブルである。例えば、点数テーブル４４は、図９に示すようなテーブルである。
【００４１】
電波強度算出部４５は、位置記憶部４２に記憶されたｎ台のＰＯＳ装置１およびｍ台のアクセスポイント装置２の各々の位置と、指向性パターン記憶部４３に記憶されたｍ台のアクセスポイント装置２の各々の指向性パターンと、に基づいて、ｍ台のアクセスポイント装置２の各々のアンテナ方向の組み合わせパターンごとに、ｎ台のＰＯＳ装置１の各々の位置における電波強度を算出する。
【００４２】
設定部４６は、点数テーブル４４を参照して、上記の組み合せパターンごとに、電波強度算出部４５にて算出されたｎ台のＰＯＳ装置１の各々の位置における電波強度を点数に換算する。
【００４３】
例えば、図１０に示すように、ＰＯＳ装置１（＃１，＃２）における、アクセスポイント装置２（＃１）から受信した電波の電波強度が、それぞれ−２［ｄＢ］，−５［ｄＢ］であったとする。この場合、設定部４６は、ＰＯＳ装置１（＃１，＃２）の位置における点数を、それぞれ５点、１点とする。
【００４４】
そして、設定部４６は、上記の組み合せパターンごとに、ｎ台のＰＯＳ装置１の各々の位置における点数を合計し、合計点数が最も高い組み合せパターンを選択し、選択した組み合わせパターンに応じたｍ台のアクセスポイント装置２の各々のアンテナ方向およびｎ台のＰＯＳ装置１の各々の接続先のアクセスポイント装置２を設定する。
【００４５】
店舗サーバ５は、ｎ台のＰＯＳ装置１を管理するもので、商品価格を変更する場合、まず、店舗サーバ５の価格情報が書き換えられる。そして、その価格情報が、店舗サーバ５からｎ台のＰＯＳ装置１の各々に配信される。
【００４６】
決済処理サーバ６は、店舗でのクレジットカードによる会計時に、その決済処理を行う。この場合、ＰＯＳ装置１から、アクセスポイント装置２および店舗サーバ５を介して、決済処理サーバ６にクレジットカード情報が送信される。
【００４７】
以下、本実施形態の無線ＬＡＮシステムの動作について説明する。ここでは、図１１に示すように、５台のＰＯＳ装置１（＃１〜＃５）と、３台のアクセスポイント装置２（＃１〜＃３）と、が配置されているものとする。
【００４８】
３台のアクセスポイント装置２（＃１〜＃３）の各々では、ＧＰＳ部２４により自装置の位置を計測し、計測した位置情報を接続制御サーバ４に送信する。
【００４９】
５台のＰＯＳ装置１（＃１〜＃５）の各々では、電源投入後は、３台のアクセスポイント装置２（＃１〜＃３）のうち、電波強度測定部１４で測定された電波強度が最も高いもアクセスポイント装置２を接続先に設定して無線通信を行う。そして、ＧＰＳ部１３により自装置の位置を計測し、計測した位置情報を、その時点で無線通信しているアクセスポイント装置２を介して接続制御サーバ４に送信する。
【００５０】
接続制御サーバ４では、３台のアクセスポイント装置２（＃１〜＃３）および５台のＰＯＳ装置１（＃１〜＃５）の各々の位置情報が位置記憶部４２に記憶されるので、それらの位置情報と、指向性パターン記憶部４３に記憶された３台のアクセスポイント装置２（＃１〜＃３）の各々の指向性パターンと、に基づいて、電波強度算出部４５により、３台のアクセスポイント装置２（＃１〜＃３）の各々のアンテナ方向の組み合わせパターンごとに、５台のＰＯＳ装置１（＃１〜＃５）の各々の位置における電波強度を算出する。そして、設定部４６により、点数テーブル４４を参照して、上記の組み合せパターンごとに、電波強度算出部４５にて算出された５台のＰＯＳ装置１（＃１〜＃５）の各々の位置における電波強度を点数に換算し、その点数を合計する。
【００５１】
例えば、図１２に示すように、従来技術のように、５台のＰＯＳ装置１（＃１〜＃５）の各々から最短距離にあるアクセスポイント装置２を接続先とした場合、合計点数は１１点となる。
【００５２】
これに対して、図１３に示すように、３台のアクセスポイント装置２（＃１〜＃３）の各々のアンテナ方向を変更して指向性を変化させると、そのアンテナ方向の組み合せパターンの中には、合計点数が最大２１点となる組み合せパターンも存在する。
【００５３】
そこで、設定部４６は、図１３のような合計点数が最も高い組み合せパターンを選択し、選択した組み合わせパターンに応じた３台のアクセスポイント装置２（＃１〜＃３）の各々のアンテナ方向および５台のＰＯＳ装置１（＃１〜＃５）の各々の接続先のアクセスポイント装置２を設定する。
【００５４】
これを受けて、３台のアクセスポイント装置２（＃１〜＃３）の各々では、アンテナ駆動部２５により、アンテナ２１のアンテナ方向を接続制御サーバ４に設定された方向に切り替える。また、５台のＰＯＳ装置１（＃１〜＃５）の各々では、無線部１２により、接続制御サーバ４に設定された接続先のアクセスポイント装置２との無線通信に切り替える。
【００５５】
上述したように本実施形態においては、ｍ台のアクセスポイント装置２の各々のアンテナ方向の組み合せパターンごとに、ｎ台のＰＯＳ装置１の各々の位置における電波強度を算出して点数換算して合計点数が最も高い組み合せパターンを選択し、選択した組み合わせパターンに応じたｍ台のアクセスポイント装置２の各々のアンテナ方向およびｎ台のＰＯＳ装置１の各々の接続先のアクセスポイント装置２を設定する。
【００５６】
したがって、ｎ台のＰＯＳ装置１全体として安定した無線通信を行うことができるため、安定した無線環境を構築することができる。
【００５７】
なお、本実施形態においては、ＰＯＳ装置１およびアクセスポイント装置２の位置計測手段をＧＰＳ部とする構成について説明したが、本発明はこれに限定されず、特開２００５−１１０３１４号公報に示されるように、正確な時刻を刻む時計を内蔵し位置計測を行う構成としても良い。
【００５８】
また、本実施形態においては、ｍ台のアクセスポイント装置２の各々のアンテナ方向の組み合せパターンの中から合計点数が最大となる組み合せパターンを選択する構成について説明したが、本発明はこれに限定されず、ｎ台のＰＯＳ装置１の点数が所定値（５点など）以上になる任意の組み合せパターンを選択する構成としても良い。
【図面の簡単な説明】
【００５９】
【図１】本発明の一実施形態の無線ＬＡＮシステムの構成を示す図である。
【図２】図１に示したＰＯＳ装置の内部構成の一例を示すブロック図である。
【図３】図１に示したＰＯＳ装置の外観構成の一例を示す外観図である。
【図４】図１に示したアクセスポイント装置の内部構成の一例を示すブロック図である。
【図５】図１に示したアクセスポイント装置の外観構成の一例を示す外観図である。
【図６】図１に示したアクセスポイント装置のアンテナ指向性を変化させた例を示す図である。
【図７】図１に示した接続制御サーバの内部構成の一例を示すブロック図である。
【図８】図７に示した指向性パターン記憶部に記憶される指向性パターンの一例を示す図である。
【図９】図７に示した点数テーブルの一例を示す図である。
【図１０】図７に示した設定部による点数換算動作の一例を説明する図である。
【図１１】図１に示したＰＯＳ装置とアクセスポイント装置の配置の一例を示す図である。
【図１２】図１１に示した配置において、従来技術によりＰＯＳ装置の接続先のアクセスポイント装置を選択した例を示す図である。
【図１３】図１１に示した配置において、本発明によりＰＯＳ装置の接続先のアクセスポイント装置を選択した例を示す図である。
【図１４】一般的な無線ＬＡＮシステムの構成の一例を示す図である。
【図１５】電波強度の時間変移の一例を示す図である。
【符号の説明】
【００６０】
１    ＰＯＳ装置
２    アクセスポイント装置
３    ネットワーク
４    接続制御サーバ
５    店舗サーバ
６    公衆回線
７    決済処理サーバ
１１    アンテナ
１２    無線部
１３    ＧＰＳ部
１４    電波強度測定部
１５    ＰＯＳ処理部
１６    制御部
２１    アンテナ
２２    無線部
２３    ネットワークインタフェース部
２４    ＧＰＳ部
２５    アンテナ駆動部
２６    制御部
４１    ネットワークインタフェース部
４２    位置記憶部
４３    指向性パターン記憶部
４４    点数テーブル
４５    電波強度算出部
４６    設定部
４７    制御部
【図１】
2008193569.tif 000003
【図２】
2008193569.tif 000004
【図３】
2008193569.tif 000005
【図４】
2008193569.tif 000006
【図５】
2008193569.tif 000007
【図６】
2008193569.tif 000008
【図７】
2008193569.tif 000009
【図８】
2008193569.tif 000010
【図９】
2008193569.tif 000011
【図１０】
2008193569.tif 000012
【図１１】
2008193569.tif 000013
【図１２】
2008193569.tif 000014
【図１３】
2008193569.tif 000015
【図１４】
2008193569.tif 000016
【図１５】
2008193569.tif 000017